(57)【要約】      （修正有）【課題】商品の売り場に設置する什器に使用する什器用表示具において、商品を引掛けて陳列するためのピンの有無に関わらず什器に設置が可能であり、設置する時間と工数を削減できる什器用表示具を提供する。【解決手段】什器用表示具１０は、本体部２０と、本体部から水平方向に突出する引掛部３０、３０‘を少なくとも備える。引掛部の一部に引掛側辺部３３を含み、引掛側辺部の切片は鉛直方向に対して傾斜している。引掛部は、鉛直方向に沿って複数備える。引掛部の一部に引掛下辺部３１を含み、引掛下辺部の中央部に切欠部３２を備える。【選択図】図２
0003234393.tif 000002
【実用新案登録請求の範囲】
【請求項１】
本体部と、
前記本体部に突設された１つ以上の引掛部を備える什器用表示具であって、
前記什器用表示具を什器に設置した状態において、前記本体部から水平方向に突出する前記引掛部を備えることを特徴とする什器用表示具。
【請求項２】
前記引掛部の一部に引掛側辺部を含み、前記引掛側辺部の切片は鉛直方向に対して傾斜していることを特徴とする請求項１に記載の什器用表示具。
【請求項３】
前記引掛部は、鉛直方向に沿って複数備えることを特徴とする請求項１または２に記載の什器用表示具。
【請求項４】
前記引掛部の一部に引掛下辺部を含み、前記引掛下辺部の中央部に切欠部を備えることを特徴とする請求項１から３のいずれか1項に記載の什器用表示具。
【請求項５】
前記引掛下辺部の幅が１４ｍｍ以上１９ｍｍ以下の範囲内であることを特徴とする請求項１から４のいずれか１項に記載の什器用表示具。
【請求項６】
前記本体部から水平方向に突出する固定部を備えることを特徴とする請求項１から５のいずれか１項に記載の什器用表示具。
【考案の詳細な説明】
【技術分野】
【０００１】
本考案は、什器用表示具に関する。
【背景技術】
【０００２】
従来、スーパーなどの売場では、売り場キャンペーンや什器に陳列する商品などが変わるたびに、什器に表示する情報を変更することが要求される。このため、売り場では容易かつ低コストで表示情報を変更するため、商品を陳列する什器と併せて、サイズ表示やブランド名等の情報を表示した什器用表示具が使用されている。売場にある一般的な什器は商品等を陳列するために、売り場の壁面に金属製の棒状のピンを壁面に対して垂直に取り付けて、厚紙などで作られた四角柱形状の什器用表示具の上部の穴にピンを通すことで什器用表示具を設置している。
【０００３】
特許文献１は、什器に取り付けるために支持片部を什器のポケットに挿入させる什器用表示具について、記載している。
【先行技術文献】
【特許文献】
【０００４】
【特許文献１】特許第４４４７８４０号公報（２０１０年０１月２９日登録）
【考案の概要】
【考案が解決しようとする課題】
【０００５】
しかしながら、上述のような従来技術には、四角柱形状の什器用表示具を設置するためにピンを使用する必要がある。その際にピンを用意し什器に設置する時間と工数が発生してしまうという問題があった。また先行文献１は、ポケットがある什器にしか対応できず汎用性が低いという問題があった。
【０００６】
本考案は、上記の問題に鑑みてなされたものであり、その目的は、ピンの有無に関わらず什器に設置が可能であり、設置する時間と工数を削減できる什器用表示具を実現することにある。
【課題を解決するための手段】
【０００７】
上記の課題を解決するために、本考案の一態様に係る什器用表示具は、サイズ表示やブランド名等を表示するための本体部と、本体部に突設された第１引掛部と、を備える什器用表示具であって、什器用表示具を什器に設置した状態において、本体部から側方視において水平方向に突出する第１引掛部を備える構成である。
【０００８】
上記構成によれば、什器用表示具の第１引掛部を什器の水平な棒状部材に引っ掛けるだけで設置することが可能である。このため、上記構成の什器用表示具は、什器に設置するためにピンを用意する必要がなく、設置する時間と工数を削減できる。
【０００９】
本考案の一態様に係る什器用表示具によれば、引掛側面部の切片は、本体部から第１引掛部が突出する方向から見て鉛直の方向に対して僅かに下側に傾斜する構成が好ましい。
【００１０】
上記構成によれば、什器用表示具の重心位置を適正に設計でき、第１引掛部を什器に引っ掛けた際に本体部の傾きを抑制できる。傾斜する角度は、本体部や第１引掛部の大きさや素材、什器の種類等に合わせて適宜変更することができる。本考案の一態様では、引掛側辺部の切片の鉛直方向に対する角度を２度とすると、本体部の鉛直方向に対する傾きを抑制できる。
【００１１】
上記構成によれば、消費者は什器に設置されている什器用表示具に表記されているサイズ表示やブランド名等を視認しやすい。
【００１２】
本考案の一態様に係る什器用表示具によれば、本体部から側方視において水平方向に突出する第１引掛部から鉛直方向に沿って第２引掛部を備える構成が好ましい。また第１引掛部から鉛直方向に沿って引掛部を複数設けることができる。図５及び図６に示すように商品を什器に設置するピンの種類はストレートピンやアッパーピンなど様々な形状が存在する。什器用表示具は、什器に陳列された商品の近傍に設置することが好ましい。商品の高さに合わせて、使用する第１引掛部または第２引掛部などの引掛部を選択することができる。
【００１３】
上記構成によれば、ピンの種類に合わせた什器用表示具を複数用意する必要がなくなる。店舗等で什器用表示具の在庫を管理するスペースや工数を削減できる。また什器のピンを変更する際に、什器用表示具を変更する必要がない為、設置する時間と工数を削減できる。
【００１４】
本考案の一態様に係る什器用表示具によれば、引掛下辺部の中央部に切欠部を備える構成が好ましい。什器用表示具を什器に設置した状態において、引掛下辺部の内、什器側に近い領域を奥部、本体部に近い領域を手前部、奥部と手前部の中間の領域を中央部とする。什器には、ピンや什器用表示具を取り付けるために棒状部材を使用する什器や、棒状部材を使用しないネット什器など様々な什器がある。ネット什器に引掛下辺部の切欠部を掛けることで、什器用表示具を確実に安定して設置することが可能である。棒状部材を使用する什器やネット什器など様々な什器に対応できることで、商品入れ替えの際に設置する時間と工数を削減できる。
【００１５】
本考案の一態様に係る什器用表示具によれば、一般的な衣類などの家庭用商品においては、引掛下辺部の幅が１４〜１９ｍｍである構成が好ましい。引掛下辺部の幅を什器の棒状部材の幅に合わせることで、什器用表示具が什器の棒状部材からずれることを抑制できる。
【００１６】
本考案の一態様に係る什器用表示具によれば、本体部から水平方向に突出する固定部を備えることが好ましい。紙等で本体部を形成した場合、折った本体部が元に戻る力が働くことがある。本体部に固定部を備えることで、本体部が開くことがなく固定することができる。
【考案の効果】
【００１７】
本考案は、ピンの有無に関わらず什器に設置が可能であり、設置する時間と工数を削減できる什器用表示具を実現することができるという効果を奏する。
【図面の簡単な説明】
【００１８】
【図１】本考案の一実施形態に係る什器用表示具の展開図である。
【図２】図１に示した展開図を組み立てた什器用表示具の斜視図である。
【図３】図２に示した什器用表示具を棒状部材からなる什器に設置した状態を示す斜視図である。
【図４】ネット什器に設置した什器用表示具を示す斜視図である。
【図５】商品を什器に設置するためのストレートピンを棒状部材に設置した状態を示す図である。
【図６】商品を什器に設置するためのアッパーピンを棒状部材に設置した状態を示す図である。
【図７】什器用表示具を棒状部材に設置した状態を側面視した図である。
【図８】棒状部材を有するゴンドラ什器に商品と什器用表示具を設置した全体図である。
【図９】第１引掛部の拡大図である。
【考案を実施するための形態】
【００１９】
以下、本考案の一実施形態について、詳細に説明する。ただし、本考案の技術的範囲は図示例に限定されるものではない。
【００２０】
〔実施形態１〕
本考案の一実施形態について、図１〜図８に基づいて説明すれば、以下のとおりである。図１は、本考案の一実施形態に係る什器用表示具の展開図である。図２は、図１に示した展開図を組み立てた什器用表示具の斜視図である。図３は、図２に示した什器用表示具を什器に設置した状態を示す斜視図である。図４は、ネット什器に設置した什器用表示具を示す斜視図である。図５は、商品を什器に設置するためのストレートピン６０を棒状部材７０に設置した状態を示す図である。図６は同じく商品を什器に設置するためのアッパーピン６１を棒状部材７０に設置した状態を示す図である。図７は、什器用表示具１０を棒状部材７０に設置した状態を側面視した図である。図８は、棒状部材７０を有するゴンドラ什器９０に商品１００と什器用表示具１０を設置した全体図である。図９は、第１引掛部３０の拡大図である。
【００２１】
本明細書においては、図８に示すようなゴンドラ什器９０が水平面上の売り場に設置された状況を前提として、図２に示すように、水平方向をＸ方向及びＹ方向とし、それらの方向に直交する方向、即ち鉛直方向をＺ‘方向とする。つまり、什器用表示具１０の本体部２０から第１引掛部３０が突出する方向から見て、什器用表示具１０の下側の方向がＺ‘方向となる。
【００２２】
図１は、図２及び図３に示した什器用表示具１０の一実施例の組立前の概略構成を示す展開図である。図１に示すように、本実施例の什器用表示具１０は、本体部２０と第１引掛部３０、固定部４０、マチ部５０を一体に備えている。第１引掛部３０の引掛下辺部３１には、半円の形状の切欠部３２を設ける。第１引掛部３０の引掛側辺部３３の切片は、本体部から突出した第１引掛部が鉛直方向に傾くことで本体部が水平面に対して上方向に傾くように、鉛直方向に対して２度傾斜している。本実施例の什器用表示具１０は、さらに差し込み型の固定部４０を２つ設ける。引掛部としては、第１引掛部３０とは別に、第２引掛部３０´を備えている。本体部２０は、またサイズ表示やブランド名等の情報を表示するために、第１情報表示部２１と第２情報表示部２２とを備えており、第１情報表示部２１と第２情報表示部２２の間に、マチ部５０を備えている。
【００２３】
図１に展開図で表示されている什器用表示具１０は、第１情報表示部２１とマチ部５０との間の折線８１、並びに、第２情報表示部２２とマチ部５０との間の折線８２を直角に折り曲げた上で、第１固定部４１に第２固定部４２を挿入することによって、図２および図３のように組立てられる。
各部の具体的な構成について、以下でさらに詳しく説明する。
【００２４】
（什器用表示具）
什器用表示具１０は、ピンを使用せず什器に設置することができるため、商品を陳列する際の構成として、棒状部材７０にピンを取り付けるタイプのゴンドラ什器９０、棒状部材７０を使用しないネット什器９１など様々な什器に設置することができる。
【００２５】
（什器用表示具の素材）
什器用表示具１０は、強度があり、折る等の加工が容易な厚紙を使用することが好ましい。また什器用表示具１０は、紙やプラスチック、木、金属等で形成することができる。特に素材を限定されるものではない。プラスチックや木、金属等を使用する場合は什器用表示具１０の組み立て後の形状になるように、切断や研磨、型に入れて形成する。
【００２６】
（本体部）
本体部２０は、サイズ表示やブランド名等の情報を表示することでＰＯＰ広告としての役割を果たすことができる。消費者に本体部の情報表示部を視認させることで、購買意欲を促進させることができる。またサイズ等を間違えることなく購入することを促すことができる。
【００２７】
本体部２０は、一枚の平面を少なくとも一か所以上で折り曲げもしくは湾曲させて形成することができる。例えば本体部２０を一か所折り曲げることで三角柱の形状にすることが可能であり、湾曲させることで円柱の形状にすることも可能である。また図２に示すように本体部２０を二か所以上折り曲げ、マチ部５０を形成することができる。立体的に形成することで、消費者は什器用表示具を視認することがさらに容易になる。商品のサイズやブランド名の表示は、本体部２０に印刷などによって表示するが、マチ部５０にも表示することもできる。什器用表示具を構成する場合は、一枚の材料を折り曲げもしくは湾曲等をすることなく、一枚のままで平面的に使用することも可能である。
【００２８】
（引掛部）
什器用表示具１０を什器に設置した状態において、本体部２０から水平方向に突出する第１引掛部３０や第２引掛部３０‘を総称して引掛部と言う。
【００２９】
引掛部は、什器に設置するために確実に安定して引っ掛けることができる形状が好ましい。例えば図２に示すように。本体部２０から略水平方向（Ｘ方向）で什器に向かって突出した後、鉛直方向（Ｚ‘方向）に曲がった形状にすることが考えられる。引掛部を曲がった形状とすることで、図３、図４及び図８に示すようにゴンドラ什器９０の棒状部材７０や、ネット什器９１のネット部分に掛けることで設置できる。
【００３０】
本体部２０を、一枚の平面を少なくとも一か所以上で折り曲げもしくは湾曲させて形成する場合、図１に示すように第１引掛部３０を本体部２０の左右に突設することができる。上記構成によれば、什器用表示具１０を什器に設置した場合、什器用表示具１０をより安定させることができる。本体部２０の左右に突設した第１引掛部３０の位置・大きさ等を揃えることで、什器用表示具１０をより安定させることができる。
【００３１】
引掛部は、第１引掛部３０に限定されることなく、本体部２０から鉛直方向に沿って任意の間隔で複数の引掛部が形成されていることが好ましい。商品を陳列する際に引っ掛けるために什器に設置されるピンは、図５や図６に示すように、ストレートピンやアッパーピンなど様々な形状が存在する。そのため、商品は、図８に示すように、什器の鉛直方向の様々な高さに陳列される。什器用表示具は、什器に陳列された様々な商品のブランド名やサイズを消費者に対して正しく視認できるように、各商品の近傍に設置して表示することが好ましい。即ち、複数の引掛部が鉛直方向に沿って任意の間隔で形成されることで、図３に示すように複数備えた第１引掛部３０と第２引掛部３０‘中から、商品の高さに合わせて使用する引掛部を選択し棒状部材７０に掛けることで設置できる。
【００３２】
（引掛下辺部）
引掛下辺部３１とは、第１引掛部３０を什器に掛けた状態で、什器に水平に設けられた棒状部材７０と接している第１引掛部３０の下側の辺である。
【００３３】
引掛下辺部３１は、切欠部３２を備える構成が好ましい。図４に示すようにネット什器９１においては、引掛下辺部３１の切欠部３２を用いてネット部分に引っ掛けることで、什器用表示具１０を確実に安定して設置することが可能である。切欠部３２の形状は半円や三角、四角の形状など什器の形状に合わせて様々な形状にすることができる。
【００３４】
（引掛側辺部）
引掛側辺部３３とは、第１引掛部３０を什器に掛けた状態で、什器に水平に設けられた棒状部材７０と接している第１引掛部３０の什器側の辺である。
【００３５】
引掛側辺部３３の切片は、図７に示すように、本体部から突出した第１引掛部３０が鉛直方向（Ｚ´方向）に傾くことで本体部２０が水平面に対して上方向に傾くように傾斜する構成が好ましい。上記構成によれば、什器用表示具１０の重心位置を適正に設計でき、第１引掛部を什器に引っ掛けた際に本体部の下側への傾きを抑制できる。引掛側辺部３３の切片の傾斜する角度は、本体部の大きさや素材、什器の種類等に合わせて適宜変更することができる。図９に示すように、本考案の一態様では、引掛側辺部３３の切片が鉛直方向に対して傾く角度を２度とすると、本体部の傾きを平均的に抑制することができる。なお、図９に示した引掛側辺部３３は傾く方向を説明するため、本来の傾斜角度より大きく傾斜させて表示している。
【００３６】
（固定部）
本体部２０もしくは第１引掛部３０から水平方向に突出する固定部４０を備えることが好ましい。本体部２０は折り曲げもしくは湾曲させることで立体的に形成することができる。紙等で本体部２０を立体的に形成した場合、本体部２０が折り曲げもしくは湾曲させる前の平面状の状態に戻る力が働くことがある。本体部２０もしくは第１引掛部３０に固定部４０を備えることで、本体部２０が平面状の状態に戻ることなく、立体的に固定することができる。固定部４０は鉛直方向に対して離れた位置に複数設けることで、より強力に固定することができる。第１固定部４１に切込みを入れ、もう一方の第２固定部４２を差し込むことで固定することができる。別途テープやノリ等を用いる必要がなく、ゴミを削減でき環境に優しい為好ましい。また差し込む方法以外にも、テープやノリ等で固定することもできる。本体部２０が平面状の状態に戻る力が働かないプラスチックや木、金属等など素材を使用し什器用表示具１０を形成する場合は、固定部がなくてもよい。
【００３７】
（マチ部）
本体部２０にマチ部５０を備える構成が好ましい。什器の真正面に消費者が立った場合、マチ部５０に記載されたサイズ表示やブランド名等の表示を視認しやすく、什器用表示具１０としての機能をより発揮することができる。
【００３８】
上記構成によれば、ピンの有無に関わらず什器に設置が可能であり、設置する時間と工数を削減できる什器用表示具を実現することができる。
【００３９】
本考案は上述した実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【符号の説明】
【００４０】
１０    什器用表示具
２０    本体部
２１    第１情報表示部
２２    第２情報表示部
３０    第１引掛部
３０‘  第２引掛部
３１    引掛下辺部
３２    切欠部
３３    引掛側辺部
４０    固定部
４１    第１固定部
４２    第２固定部
５０    マチ部
６０    ストレートピン
６１    アッパーピン
７０    棒状部材
９０    ゴンドラ什器
９１    ネット什器
１００  商品
【図１】
0003234393.tif 000003
【図２】
0003234393.tif 000004
【図３】
0003234393.tif 000005
【図４】
0003234393.tif 000006
【図５】
0003234393.tif 000007
【図６】
0003234393.tif 000008
【図７】
0003234393.tif 000009
【図８】
0003234393.tif 000010
【図９】
0003234393.tif 000011